【手続補正書】
【提出日】平成27年3月26日(2015.3.26)
【手続補正１】
【補正対象書類名】明細書
【補正対象項目名】発明の名称
【補正方法】変更
【補正の内容】
【発明の名称】辞書情報表示装置、辞書情報表示プログラム、辞書情報表示システム、およびそのサーバ装置、端末装置
【手続補正２】
【補正対象書類名】明細書
【補正対象項目名】０００１
【補正方法】変更
【補正の内容】
【０００１】
本発明は、辞書から検索した情報を表示させるための辞書情報表示装置、辞書情報表示プログラム、辞書情報表示システム、およびそのサーバ装置、端末装置に関する。
【手続補正３】
【補正対象書類名】明細書
【補正対象項目名】０００９
【補正方法】変更
【補正の内容】
【０００９】
本発明は、このような課題に鑑みてなされたもので、辞書情報を様々なユーザにとって必要な情報量で簡便に閲覧することが可能になる辞書情報表示装置、辞書情報表示プログラム、辞書情報表示システム、およびそのサーバ装置、端末装置を提供することを目的とする。
【手続補正４】
【補正対象書類名】明細書
【補正対象項目名】００１０
【補正方法】変更
【補正の内容】
【００１０】
本発明に係る辞書情報表示装置は、タッチパネル式の表示部と、ユーザ操作に応じて入力された見出し語に対応する説明情報を辞書データから読み出して前記表示部に表示させる説明情報表示制御手段と、前記タッチパネルによりユーザ操作に応じたマルチタッチを検出するマルチタッチ検出手段と、このマルチタッチ検出手段により検出されたマルチタッチの各タッチ位置が互いに離間する方向に移動されたか又は互いに接近する方向に移動されたかを判断するタッチ位置移動判断手段と、このタッチ位置移動判断手段により前記マルチタッチの各タッチ位置が互いに離間する方向に移動されたか又は互いに接近する方向に移動されたかの判断に応じて、前記説明情報表示制御手段により前記辞書データから読み出して前記表示部に表示させる説明情報を詳細化して表示させるか又は簡略化して表示させる表示情報制御手段と、を備えたことを特徴としている。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】特許請求の範囲
【補正対象項目名】全文
【補正方法】変更
【補正の内容】
【特許請求の範囲】
【請求項１】
タッチパネル式の表示部と、
ユーザ操作に応じて入力された見出し語に対応する説明情報を辞書データから読み出して前記表示部に表示させる説明情報表示制御手段と、
前記タッチパネルによりユーザ操作に応じたマルチタッチを検出するマルチタッチ検出手段と、
このマルチタッチ検出手段により検出されたマルチタッチの各タッチ位置が互いに離間する方向に移動されたか又は互いに接近する方向に移動されたかを判断するタッチ位置移動判断手段と、
このタッチ位置移動判断手段により前記マルチタッチの各タッチ位置が互いに離間する方向に移動されたか又は互いに接近する方向に移動されたかの判断に応じて、前記説明情報表示制御手段により前記辞書データから読み出して前記表示部に表示させる説明情報を詳細化して表示させるか又は簡略化して表示させる表示情報制御手段と、
を備えたことを特徴とする辞書情報表示装置。
【請求項２】
前記説明情報表示制御手段は、見出し語と当該見出し語の複数の語義からなる説明情報とを対応付けた辞書データを記憶し、
前記見出し語の複数の語義からなる前記説明情報を前記辞書データから読み出して前記表示部に表示させ、
前記タッチ位置移動判断手段は、前記マルチタッチ検出手段により検出されたマルチタッチの各タッチ位置が、前記説明情報表示制御手段により前記表示部に表示された語義の説明行に対応して離間する方向に移動されたか又は接近する方向に移動されたかを判断する語義行対応移動判断手段を有し、
前記表示情報制御手段は、前記語義行対応移動判断手段により前記マルチタッチの各タッチ位置が、前記表示部に表示された語義の説明行に対応して離間する方向に移動されたか又は接近する方向に移動されたかの判断に応じて、前記説明情報表示制御手段により前記辞書データから読み出して前記表示部に表示させる当該説明行の語義の説明情報を詳細化して表示させるか又は簡略化して表示させる指定語義表示情報制御手段を有する、
ことを特徴とする請求項１に記載の辞書情報表示装置。
【請求項３】
前記タッチ位置移動判断手段は、前記マルチタッチ検出手段により検出されたマルチタッチの各タッチ位置が、前記説明情報表示制御手段により前記表示部に表示された語義の説明行と直交する列方向に離間する方向で移動されたか又は接近する方向で移動されたかを判断する語義列対応移動判断手段を有し、
前記表示情報制御手段は、前記語義列対応移動判断手段により前記マルチタッチの各タッチ位置が、前記表示部に表示された語義の説明行と直交する列方向に離間する方向で移動されたか又は接近する方向で移動されたかの判断に応じて、前記説明情報表示制御手段により前記辞書データから読み出して前記表示部に表示させる語義の説明情報を、予め順位付けられた次の語義の説明行を追加して表示させるか又は表示中の語義の説明行を削除して表示させる語義表示情報制御手段を有する、
ことを特徴とする請求項１または請求項２に記載の辞書情報表示装置。
【請求項４】
前記表示部に表示された説明情報の中の任意の文字列にユーザ操作に応じてマーカを付加して表示させるマーカ付加表示制御手段と、
このマーカ付加表示制御手段によりマーカが付加されて表示された文字列を登録するマーカ文字列登録手段とを備え、
前記表示情報制御手段は、
前記タッチ位置移動判断手段により前記マルチタッチの各タッチ位置が離間する方向に移動されたか又は接近する方向に移動されたかの判断に応じて、前記説明情報表示制御手段により前記辞書データから読み出して前記表示部に表示させる説明情報を詳細化して表示させるか又は簡略化して表示させる際に、当該詳細化して表示させる説明情報又は簡略化して表示させる説明情報に前記マーカ文字列登録手段に登録された文字列が含まれるか否かを判断するマーカ文字列判断手段を有し、
このマーカ文字列判断手段により前記マーカ文字列登録手段に登録された文字列が含まれると判断された場合は、当該文字列を優先して表示させる、
ことを特徴とする請求項１ないし請求項３の何れか１項に記載の辞書情報表示装置。
【請求項５】
前記マルチタッチ検出手段により検出されたマルチタッチの各タッチ位置が一定時間保持されたか否かを判断するタッチ位置保持判断手段を備え、
前記表示情報制御手段は、
前記タッチ位置保持判断手段により前記マルチタッチの各タッチ位置が一定時間保持されたと判断された場合は、前記タッチ位置移動判断手段により前記マルチタッチの各タッチ位置が離間する方向に移動されたか又は接近する方向に移動されたかの判断に応じて、前記説明情報表示制御手段により前記辞書データから読み出して前記表示部に表示させる説明情報を詳細化して表示させるか又は簡略化して表示させる第１の表示情報制御手段と、
前記タッチ位置保持判断手段により前記マルチタッチの各タッチ位置が一定時間保持されないと判断された場合は、前記タッチ位置移動判断手段により前記マルチタッチの各タッチ位置が離間する方向に移動されたか又は接近する方向に移動されたかの判断に応じて、前記表示部に表示されている説明情報を拡大して表示させるか又は縮小して表示させる第２の表示情報制御手段とを有する、
ことを特徴とする請求項１ないし請求項４の何れか１項に記載の辞書情報表示装置。
【請求項６】
前記タッチ位置移動判断手段は、前記マルチタッチ検出手段により検出されたマルチタッチの各タッチ位置が、前記説明情報表示制御手段により前記表示部に表示された語義の説明行に対して斜めの方向に離間する方向で移動されたか又は接近する方向で移動されたかを判断する斜め対応移動判断手段を有し、
この斜め対応移動判断手段により前記マルチタッチの各タッチ位置が、前記説明情報表示制御手段により前記表示部に表示された語義の説明行に対して斜めの方向に離間する方向で移動されたか又は接近する方向で移動されたかの判断に応じて、前記表示部に表示されている説明情報を拡大して表示させるか又は縮小して表示させる拡大／縮小表示制御手段を備えた、
ことを特徴とする請求項１ないし請求項５の何れか１項に記載の辞書情報表示装置。
【請求項７】
見出し語と当該見出し語の複数の語義からなる説明情報とを対応付けた前記辞書データを記憶する辞書記憶手段を備えた、請求項２に記載の辞書情報表示装置。
【請求項８】
タッチパネル式の表示部を備えた電子機器のコンピュータを制御するための辞書情報表示プログラムであって、
前記コンピュータを、
ユーザ操作に応じて入力された見出し語に対応する説明情報を、見出し語と当該見出し語の説明情報とを対応付けた辞書データから読み出して前記表示部に表示させる説明情報表示制御手段、
前記タッチパネルによりユーザ操作に応じたマルチタッチを検出するマルチタッチ検出手段、
前記マルチタッチ検出手段により検出されたマルチタッチの各タッチ位置が離間する方向に移動されたか又は接近する方向に移動されたかを判断するタッチ位置移動判断手段、
前記タッチ位置移動判断手段により前記マルチタッチの各タッチ位置が離間する方向に移動されたか又は接近する方向に移動されたかの判断に応じて、前記説明情報表示制御手段により前記辞書データから読み出して前記表示部に表示させる説明情報を詳細化して表示させるか又は簡略化して表示させる表示情報制御手段、
として機能させるための辞書情報表示プログラム。
【請求項９】
ネットワークを介した通信機能を有するサーバ装置と端末装置からなる辞書情報表示システムであって、
前記サーバ装置は、
見出し語と当該見出し語の説明情報とを対応付けた辞書データを記憶している辞書記憶手段と、
前記端末装置からユーザ操作に応じて入力された検索語を受信する検索語受信手段と、
この検索語受信手段により受信された検索語に対応する見出し語とその説明情報を前記辞書データから読み出して前記端末装置へ送信する説明情報送信手段と、
前記端末装置のタッチパネルにより検出されるユーザ操作に応じたタッチ位置を受信するタッチ位置受信手段と、
このタッチ位置受信手段により受信されたタッチ位置に応じてユーザ操作に応じたマルチタッチを検出するマルチタッチ検出手段と、
このマルチタッチ検出手段により検出されたマルチタッチの各タッチ位置が離間する方向に移動されたか又は接近する方向に移動されたかを判断するタッチ位置移動判断手段と、
このタッチ位置移動判断手段により前記マルチタッチの各タッチ位置が離間する方向に移動されたか又は接近する方向に移動されたかの判断に応じて、前記説明情報送信手段により前記辞書データから読み出して前記端末装置へ送信する説明情報を詳細化して送信させるか又は簡略化して送信させる送信情報制御手段とを備え、
前記端末装置は、
タッチパネル式の表示部と、
ユーザ操作に応じて入力された検索語を前記サーバ装置へ送信する検索語送信手段と、
この検索語送信手段による前記検索語の送信に応答して、前記サーバ装置の説明情報送信手段により送信された見出し語とその説明情報を受信し、当該受信された見出し語とその説明情報を前記表示部に表示させる説明情報表示制御手段と、
前記タッチパネルにより検出されるユーザ操作に応じたタッチ位置を前記サーバ装置へ送信するタッチ位置送信手段と、
このタッチ位置送信手段による前記タッチ位置の送信に応答して、前記サーバ装置の送信情報制御手段により詳細化又は簡略化されて送信された説明情報を受信し、前記説明情報表示制御手段により前記表示部に表示された説明情報を詳細化又は簡略化して表示させる表示情報制御手段とを備えた、
ことを特徴とする辞書情報表示システム。
【請求項１０】
請求項９に記載の辞書情報表示システムのサーバ装置。
【請求項１１】
請求項９に記載の辞書情報表示システムの端末装置。